(57)【要約】【課題】データ通信リンクを無線化する無線アダプタを用いる際の利便性をより高める。【解決手段】画像表示装置１００は、２つのデータ通信リンクから供給される画像データの少なくとも一方を用いて画像を表示する。画像表示装置１００は、２つデータ通信リンクに画像表示装置をそれぞれ接続する第１のコネクタ１４２と第２のコネクタ１５２を有している。これら２つのコネクタ１４２，１５２のうちの第２のコネクタ１５２は、外部の装置に電力が供給可能となっている。この画像表示装置１００にデータを転送する無線アダプタ２００は、第１のコネクタ１４２に接続され、データを画像表示装置１００に転送するデータ転送部２１０と、第２のコネクタ１５４に接続され、画像表示装置１００から電力供給を受ける電力受給部２４０とを有している。【選択図】図２
2008192018.tif 000002
【特許請求の範囲】
【請求項１】
第１のデータ通信リンクから供給される画像データと、第２のデータ通信リンクから供給される画像データと、の少なくとも一方を用いて画像を表示する画像表示装置にデータを転送するデータ通信リンクを無線化する無線アダプタであって、
前記画像表示装置は、
前記第１と第２のデータ通信リンクに前記画像表示装置をそれぞれ接続する第１と第２のコネクタを有し、
前記第１と第２のコネクタのうち、前記第２のコネクタに接続された外部の装置に電力が供給可能に構成されており、
前記無線アダプタは、
前記第１のコネクタに接続され、データを前記画像表示装置に転送するデータ転送部と、
前記第２のコネクタに接続され、前記画像表示装置から電力供給を受ける電力受給部と、
を備える、無線アダプタ。
【請求項２】
請求項１記載の無線アダプタであって、
前記画像表示装置は、
前記第２のコネクタから前記外部の装置への供給電流を、変更可能な供給電流上限値に制限する電流リミッタと、
前記無線アダプタから供給される情報に基づいて、前記供給電流上限値を上昇させるか否かを決定する上限値上昇決定部と、
前記上限値上昇決定部により前記供給電流上限値の上昇が決定された場合に、前記供給電流上限値の上昇を前記無線アダプタに通知する上限値変更通知部と、
を備えており、
前記無線アダプタは、前記画像表示装置の前記上限値変更通知部からの前記上昇の通知の取得に応じて、前記データ転送のための無線通信を開始する、無線アダプタ。
【請求項３】
請求項２記載の無線アダプタであって、
前記データ転送部は、前記データ転送部に接続された装置の種類を特定する装置特定情報を取得する装置情報取得部を備えており、
前記無線アダプタは、前記装置情報取得部が取得した前記装置特定情報が前記画像表示装置を表す場合、前記画像表示装置に前記供給電流上限値の上昇を要求する、無線アダプタ。
【請求項４】
請求項２記載の無線アダプタであって、
前記画像表示装置は、
前記第２のコネクタに接続された装置の種類を特定する装置特定情報を取得する装置情報取得部を備え、
前記上限値上昇決定部は、前記装置情報取得部が取得した前記装置特定情報が前記無線アダプタを表す場合に前記供給電流上限値の上昇を決定する、
無線アダプタ。
【請求項５】
請求項１ないし４のいずれか記載の無線アダプタであって、
前記画像表示装置は、前記第１のデータ通信リンクから供給される画像データと、前記第２のデータ通信リンクから供給される画像データと、を排他的に用いて画像を表示する、無線アダプタ。
【請求項６】
請求項１ないし５のいずれか記載の無線アダプタであって、
前記第１と第２のデータ通信リンクは、ユニバーサルシリアルバスであって、
前記第１のコネクタは、ユニバーサルシリアルバスで使用されるＡコネクタであり、
前記第２のコネクタは、ユニバーサルシリアルバスで使用されるＢコネクタである、
無線アダプタ。
【発明の詳細な説明】
【技術分野】
【０００１】
この発明は、画像表示装置にデータを供給するデータ通信リンクを無線化する無線アダプタに関する。
【背景技術】
【０００２】
プロジェクタ等の画像表示装置では、外部から供給されるビデオ信号に応じて画像が投射される。近年では、ＵＳＢ（ユニバーサルシリアルバス）やＩＥＥＥ１３９４などの規格に準拠したデータ通信リンクから画像データを供給し、供給された画像データに応じて画像を表示することが行われている。ところで、このようなデータ通信リンクでは、パーソナルコンピュータと画像表示装置とがケーブルを用いて接続されるため、配設されたケーブルが絡まり合ったり、ケーブルの引き回しが困難となる場合がある。そこで、データ通信リンクのケーブルに替えて、無線通信によりデータ通信リンクを形成することが提案されている。
【０００３】
【特許文献１】特開２００４−５６８７７号広報
【発明の開示】
【発明が解決しようとする課題】
【０００４】
しかしながら、無線通信によりデータ通信リンクを形成する場合、データ通信リンクの規格や接続状態によっては、無線アダプタにデータ通信リンク以外の経路から電力を供給する必要が生じる場合がある。この場合、無線アダプタへの電力供給を行うため、ＡＣアダプタ等の電源供給装置を別途用意する必要が生じ、無線アダプタを用いる際の利便性が低下する。
【０００５】
本発明は、上述した従来の課題を解決するためになされたものであり、データ通信リンクを無線化する無線アダプタを用いる際の利便性をより高めることを目的とする。
【課題を解決するための手段】
【０００６】
上記目的の少なくとも一部を達成するために、本発明の無線アダプタは、第１のデータ通信リンクから供給される画像データと、第２のデータ通信リンクから供給される画像データと、の少なくとも一方を用いて画像を表示する画像表示装置にデータを転送するデータ通信リンクを無線化する無線アダプタであって、前記画像表示装置は、前記第１と第２のデータ通信リンクに前記画像表示装置をそれぞれ接続する第１と第２のコネクタを有し、前記第１と第２のコネクタのうち、前記第２のコネクタに接続された外部の装置に電力が供給可能に構成されており、前記無線アダプタは、前記第１のコネクタに接続されデータを前記画像表示装置に転送するデータ転送部と、前記第２のコネクタに接続され前記画像表示装置から電力供給を受ける電力受給部と、を備えることを特徴とする。
【０００７】
この構成によれば、画像表示装置が第１のコネクタから電力を供給しない場合であっても、無線アダプタには、画像表示装置の第２のコネクタから電力が供給される。そのため、電源供給装置の準備を省略することができるので、無線アダプタを用いる際の利便性をより高めることができる。
【０００８】
前記画像表示装置は、前記第２のコネクタから前記外部の装置への供給電流を、変更可能な供給電流上限値に制限する電流リミッタと、前記無線アダプタから供給される情報に基づいて、前記供給電流上限値を上昇させるか否かを決定する上限値上昇決定部と、前記上限値上昇決定部により前記供給電流上限値の上昇が決定された場合に、前記供給電流上限値の上昇を前記無線アダプタに通知する上限値変更通知部と、を備えており、前記無線アダプタは、前記画像表示装置の前記上限値変更通知部からの前記上昇の通知の取得に応じて、前記データ転送のための無線通信を開始するものとしてもよい。
【０００９】
この構成によれば、無線アダプタは、供給電流上限値の上昇の通知の取得に応じてデータ転送のための無線通信を開始する。そのため、無線通信のため電力が十分に供給される状態で無線通信を行うことができるので、無線通信によるデータの転送をより安定的に行うことができる。
【００１０】
前記データ転送部は、前記データ転送部に接続された装置の種類を特定する装置特定情報を取得する装置情報取得部を備えており、前記無線アダプタは、前記装置情報取得部が取得した前記装置特定情報が前記画像表示装置を表す場合、前記画像表示装置に前記供給電流上限値の上昇を要求するものとしてもよい。
【００１１】
この構成によれば、無線アダプタは、データ転送部に接続された装置が第２のコネクタからの供給電流上限値の変更が可能な画像表示装置である場合には、供給電流上限値の変更を画像表示装置に要求する。画像表示装置は、変更要求に基づいて供給電流上限値の要否をより的確に決定できるので、供給電流をより適切に制限することができる。
【００１２】
前記画像表示装置は、前記第２のコネクタに接続された装置の種類を特定する装置特定情報を取得する装置情報取得部を備え、前記上限値上昇決定部は、前記装置情報取得部が取得した前記装置特定情報が前記無線アダプタを表す場合に前記供給電流上限値の上昇を決定するものとしてもよい。
【００１３】
この構成によれば、画像表示装置は、第２のコネクタに接続された装置の種類を特定する装置特定情報に基づいて供給電流上限値の要否をより的確に決定できるので、供給電流をより適切に制限することができる。
【００１４】
前記画像表示装置は、前記第１のデータ通信リンクから供給される画像データと、前記第２のデータ通信リンクから供給される画像データと、を排他的に用いて画像を表示するものとしてもよい。
【００１５】
この構成によれば、第１のコネクタを介して供給される画像データと、第２のコネクタを介して供給される画像データとは、排他的に利用される。そのため、無線アダプタが第１のコネクタを介して画像データを転送する場合には、第２のコネクタを介して供給される画像データが使用されないので、第２のコネクタを画像データの転送とは異なる用途に使用することができる。そこで、第２のコネクタから無線アダプタへの電力供給を行うことにより、画像表示装置において、無線アダプタへの電力供給のための別個のコネクタを省略することができる。
【００１６】
なお、本発明は、種々の態様で実現することが可能である。例えば、無線アダプタ、無線アダプタの制御装置および制御方法、それらの無線アダプタ、制御装置および制御方法の機能を実現するためのコンピュータプログラム、そのコンピュータプログラムを記録した記録媒体、そのコンピュータプログラムを含み搬送波内に具現化されたデータ信号、等の態様で実現することができる。
【発明を実施するための最良の形態】
【００１７】
次に、本発明の実施の形態を実施例に基づいて以下の順序で説明する。
Ａ．第１実施例：
Ｂ．第２実施例：
Ｃ．第３実施例：
Ｄ．変形例：
【００１８】
Ａ．第１実施例：
図１は、本発明の第１実施例を適用する画像投射システムの概略構成を示す概略構成図である。この画像投射システム１０は、プロジェクタ１００と、パーソナルコンピュータ３００と、を有している。
【００１９】
プロジェクタ１００は、プロジェクタ制御部１１０と、画像投射部１２０と、ＲＧＢ信号入力部１３０と、デバイス制御部１４０と、ホスト制御部１５０と、を備えている。デバイス制御部１４０とホスト制御部１５０は、それぞれ、ＵＳＢコネクタ１４２，１５２（以下、単に「コネクタ」とも呼ぶ）に接続されている。ＲＧＢ信号入力部１３０は、ＲＧＢ入力端子１３２に接続された外部の装置から画像を取得する。プロジェクタ制御部１１０は、投射画像選択部１１２と、画像受信部１１４と、画像取得部１１６と、を有している。
【００２０】
デバイス制御部１４０は、ＵＳＢコネクタ１４２を介してＵＳＢにより接続されたパーソナルコンピュータ等の装置（ホスト）の制御の下で、ホストとの間でデータの授受を行う。デバイス制御部１４０は、ホストから供給された画像データを画像受信部１１４に供給する。画像受信部１１４は、デバイス制御部１４０を介して供給される画像データから、プロジェクタ１００により投射される画像を生成する。生成された画像は、画像受信部１１４から投射画像選択部１１２に供給される。なお、ホストに接続され、ホストの制御の下でホストとのデータの授受を行う装置は、一般に、デバイスと呼ばれる。
【００２１】
ホスト制御部１５０は、ＵＳＢコネクタ１５２を介してＵＳＢにより接続されたデバイスを制御し、デバイスとの間でデータの授受を行う。画像取得部１１６は、ホスト制御部１５０を介して、マスストレージデバイス等のデバイスを制御し、そのデバイスに格納された画像データを取得する。画像取得部１１６は、デバイスから取得した画像データからプロジェクタ１００により投射される画像を生成する。生成された画像は、画像取得部１１６から投射画像選択部１１２に供給される。
【００２２】
投射画像選択部１１２は、画像受信部１１４、画像取得部１１６およびＲＧＢ信号入力部１３０のそれぞれから供給される画像のうちいずれか１つを選択し、選択した画像を画像投射部１２０に供給する。画像投射部１２０は、投射画像選択部１１２により選択された画像をスクリーン（図示しない）上に投射する。このように、プロジェクタ１００では、投射される画像が投射画像選択部１１２により選択されるので、画像受信部１１４によって生成された画像と、画像取得部１１６によって生成された画像とは、同時に投射されない。そのため、第１のＵＳＢコネクタ１４２を介して供給される画像データと、第２のＵＳＢコネクタ１５２を介して供給される画像データとは、排他的に使用されるともいうことができる。
【００２３】
パーソナルコンピュータ３００は、画像データ生成部３１０と、無線ＵＳＢホスト３２０と、を備えている。画像データ生成部３１０は、プロジェクタ１００により投射される画像を表す画像データを生成する。この画像データは、パーソナルコンピュータ３００のディスプレイ（図示しない）に表示される画像を表す画像データである。このような表示画像を表す画像データは、例えば、ディスプレイを制御するデバイスドライバに供給される表示画像を生成するための描画指示を取得し、取得した描画指示に基づいて画像データを生成するデバイスドライバ（「ミラードライバ」と呼ばれる）により生成することができる。画像データ生成部３１０において生成された画像データは、無線ＵＳＢホスト３２０に供給される。
【００２４】
無線ＵＳＢホスト３２０は、ホスト制御部３２２と無線送受信部３２４とを有している。無線送受信部３２４は、無線ＵＳＢアダプタ２００との間で、所定のプロトコルに従って無線通信することによりデータの送受信を行う。無線ＵＳＢホスト３２０のホスト制御部３２２は、送受信されたデータに基づいて、無線ＵＳＢアダプタ２００が接続された装置のデバイス制御部とＵＳＢ規格に準拠したデータ通信を行う。図１の例では、無線ＵＳＢアダプタ２００がプロジェクタ１００に接続されている。そのため、パーソナルコンピュータ３００のホスト制御部３２２とプロジェクタ１００のデバイス制御部１４０との間で、ＵＳＢ規格に準拠したデータ通信が行われる。このように、パーソナルコンピュータ３００とプロジェクタ１００との間でデータ通信リンクが形成されることにより画像データ生成部３１０で生成された画像データがプロジェクタ１００に転送される。そして、転送された画像データから画像受信部１１４により生成された画像が、プロジェクタ１００により投射される。
【００２５】
図２は、第１実施例における無線ＵＳＢアダプタ２００と、プロジェクタ１００と、の接続状態を示す説明図である。無線ＵＳＢアダプタ２００は、無線アダプタ制御部２１０と、電源回路２２０と、２つのプラグ２３０，２４０と、を備えている。無線ＵＳＢアダプタ２００のプラグ２３０と、プロジェクタ１００のコネクタ１４２とは、ＵＳＢにより互いに接続されている。同様に、無線ＵＳＢアダプタ２００のプラグ２４０と、プロジェクタ１００のコネクタ１４２とは、ＵＳＢにより互いに接続されている。
【００２６】
図２に示すように、ＵＳＢでは、データの転送用の差動信号Ｄ＋，Ｄ−を伝送する２本の信号線と、ホストからデバイスにバス電圧ＶBUSを供給する電源線と、接地線ＧＮＤとが接続される。なお、以下では、信号Ｄ＋を伝送する信号線を「信号線Ｄ＋」とも呼ぶ。同様に、信号Ｄ−を伝送する信号線を「信号線Ｄ−」とも呼び、バス電圧ＶBUSを供給する電源線を「電源線ＶBUS」とも呼ぶ。ＵＳＢでは誤接続を抑制するため、デバイス制御部１４０に接続されるコネクタ１４２（「Ｂコネクタ」と呼ばれる）と、ホスト制御部１５０に接続されるコネクタ１５２（「Ａコネクタ」と呼ばれる）とは、それぞれ異なる形状のものが使用される。
【００２７】
上述のように、バス電圧ＶBUSは、ホスト側からデバイス側に供給される。そのため、Ｂコネクタ１４２からＢコネクタ１４２に嵌合するプラグ（Ｂプラグ）２３０へは電力の供給は行われない。一方、Ａコネクタ１５２からＡコネクタ１５２に嵌合するプラグ（Ａプラグ）２４０へは、電源線ＶBUSにより電力が供給される。なお、プロジェクタ１００のホスト制御部１５０には、電流リミッタ１５４が設けられている。電流リミッタ１５４は、Ａコネクタ１５２に接続されたデバイスに供給する電流値を所定の上限値（例えば、５００ｍＡ）に制限する。電流リミッタ１５４を用いてデバイスへの供給電流を制限することにより、デバイスの故障や接続線の短絡等で生じる過電流からプロジェクタ１００が保護される。
【００２８】
無線アダプタ制御部２１０は、無線送受信部２１２と、デバイスワイヤアダプタ２１４と、を有している。無線送受信部２１２は、パーソナルコンピュータ３００（図１）の無線送受信部３２４との間でデータの送受信を行う。デバイスワイヤアダプタ２１４は、無線送受信部２１２が送受信するデータを、ＵＳＢ規格の差動信号Ｄ＋，Ｄ−（以下、「ＵＳＢ信号Ｄ＋，Ｄ−」とも呼ぶ）に変換する。デバイスワイヤアダプタ２１４により変換されたＵＳＢ信号Ｄ＋，Ｄ−は、Ｂプラグ２３０とＢコネクタ１４２とを介して、プロジェクタ１００のデバイス制御部１４０に供給される。これにより、プロジェクタ１００のデバイス制御部１４０と、パーソナルコンピュータ３００の無線送受信部３２４に接続されたホスト制御部３２２との間で、ＵＳＢ規格に準拠したデータ通信が行われる。このように、パーソナルコンピュータ３００とプロジェクタ１００との間のデータ転送は、無線送受信部２１２、デバイスワイヤアダプタ２１４およびＢプラグ２３０を用いて行われる。そのため、これらの無線送受信部２１２、デバイスワイヤアダプタ２１４およびＢプラグ２３０は、併せてデータ転送のための「データ転送部」とも呼ぶことができる。
【００２９】
無線ＵＳＢアダプタ２００の電源回路２２０には、Ａプラグ２４０を介してプロジェクタのＡコネクタ１５２からの電源線ＶBUSが接続されている。これにより、電源回路２２０には、プロジェクタ１００から電力が供給される。電源回路２２０は、電源線ＶBUSの電圧を所定の電圧に変換し、電力を無線アダプタ制御部２１０に供給する。このように、無線ＵＳＢアダプタ２００の無線アダプタ制御部２１０は、プロジェクタ１００から供給される電力により駆動される。このように、無線ＵＳＢアダプタ２００への電力の供給は、Ａプラグ２４０を介して行われる。そのため、Ａプラグ２４０は、無線ＵＳＢアダプタ２００が電力の供給を受ける「電力受給部」とも呼ぶことができる。
【００３０】
第１実施例の無線ＵＳＢアダプタ２００は、データ通信に使用するＢプラグ２３０と、Ａプラグ２４０と、を有している。Ａプラグ２４０をプロジェクタ１００のＡコネクタ１５２に接続することにより、無線ＵＳＢアダプタ２００は、無線ＵＳＢアダプタ２００を駆動するための電力をプロジェクタ１００から受け取る。そのため、ＡＣアダプタ等の無線ＵＳＢアダプタ２００とは別個の電力供給装置を省略できるので、無線ＵＳＢアダプタ２００の利便性が向上する。
【００３１】
また、上述のように、プロジェクタ１００では、Ａコネクタ１５２を介して取得される画像データと、Ｂコネクタ１４２を介して取得される画像データとは、排他的に使用される。そのため、Ｂコネクタ１４２を介して画像データを供給する無線ＵＳＢアダプタ２００を使用する場合には、Ａコネクタ１５２から供給された画像データが使用されないので、Ａコネクタ１５２を画像データの供給以外の用途に使用することができる。そこで、無線ＵＳＢアダプタ２００にＡコネクタ１５２から電力を供給することにより、無線ＵＳＢアダプタ２００への電力供給のための別個のコネクタを省略でき、プロジェクタ１００の大型化を抑制することができる。
【００３２】
なお、第１実施例では、ホスト制御部１５０に電流リミッタ１５４が設けられているが、電流リミッタ１５４を省略することも可能である。この場合、過電流からのプロジェクタ１００の保護は、例えば、プロジェクタ１００に障害が発生しないような電流値（例えば、２．５Ａ）で切断するヒューズによって行われる。
【００３３】
Ｂ．第２実施例：
図３は、第２実施例における無線ＵＳＢアダプタ２００ａと、プロジェクタ１００と、の接続状態を示す説明図である。第２実施例は、無線アダプタ制御部２１０ａがホスト制御部２１６を有している点で、第１実施例と異なっている。他の点は、第１実施例と同じである。
【００３４】
第２実施例の無線ＵＳＢアダプタ２００ａでは、デバイスワイヤアダプタ２１４とホスト制御部２１６とがＢプラグ２３０に接続されている。具体的には、デバイスワイヤアダプタ２１４の信号線Ｄ＋，Ｄ−およびホスト制御部２１６の信号線Ｄ＋，Ｄ−とがそれぞれＢプラグ２３０の信号線Ｄ＋，Ｄ−に接続されている。
【００３５】
ＵＳＢの信号線Ｄ＋，Ｄ−は、ホスト側からデバイス側およびデバイス側からホスト側への双方向の通信に使用される。そのため、信号線Ｄ＋，Ｄ−を駆動する信号線駆動回路（図示しない）は、高インピーダンス状態をとり得るように構成されている。そこで、デバイスワイヤアダプタ２１４およびホスト制御部２１６がそれぞれ有する信号線駆動回路の一方のみを使用し、他方を高インピーダンス状態に維持することにより、デバイスワイヤアダプタ２１４とホスト制御部２１６とのいずれか一方をＢプラグ２３０に接続されたデバイスに論理的に接続することができる。すなわち、デバイスワイヤアダプタ２１４およびホスト制御部２１６の動作状態を適宜設定することにより、プロジェクタ１００のデバイス制御部１４０の論理的な接続先を、デバイスワイヤアダプタ２１４とホスト制御部２１６とのいずれかに切り替えることができる。但し、デバイス制御部１４０の接続先を、デバイスワイヤアダプタ２１４およびホスト制御部２１６のいずれかに切り替えることが可能であればよい。例えば、デバイスワイヤアダプタ２１４およびホスト制御部２１６と、Ｂプラグ２３０との間に接続先を切り替えるスイッチを設け、そのスイッチを切り替えることにより、デバイス制御部１４０の接続先を電気的に切り替えるものとしてもよい。
【００３６】
図４は、第２実施例において、プロジェクタ１００とパーソナルコンピュータ３００（図１）との無線ＵＳＢ接続が確立するまでの処理の流れを示すシーケンス図である。図４に示すシーケンスは、プロジェクタ１００から無線ＵＳＢアダプタ２００ａに電力が供給されることにより実行が開始される。なお、図４のシーケンスの開始時点では、無線アダプタ制御部２１０ａの無線送受信部２１２とデバイスワイヤアダプタ２１４とは、その動作が停止されている。
【００３７】
ステップ[W100]において、無線ＵＳＢアダプタ２００ａは、ホスト制御部２１６をＢプラグ２３０とＢコネクタ１４２とを介して接続されたデバイス制御部１４０に接続する。具体的には、ホスト制御部２１６は、信号線Ｄ＋，Ｄ−の電圧を制御することにより、デバイス制御部１４０をリセットし、ホスト制御部２１６とデバイス制御部１４０との間のデータ通信を開始する。
【００３８】
ステップ[W110]において、無線ＵＳＢアダプタ２００ａは、プロジェクタ１００にデバイス情報の送信を要求する。具体的には、ホスト制御部２１６がデバイス制御部１４０にデバイスディスクリプタの送信を要求する。デバイスディスクリプタの送信が要求されたデバイス制御部１４０は、ステップ[P110]において、デバイスの種類や製造者等を表す情報（デバイス情報）をホスト制御部２１６に送信する。
【００３９】
ステップ[W120]において、無線ＵＳＢアダプタ２００ａは、ステップ[P110]において受信したデバイス情報を解析する。そして、無線ＵＳＢアダプタ２００ａが接続された装置が、特定のプロジェクタ１００であるか否かを判断する。接続先が特定のプロジェクタ１００であると判断された場合、制御はステップ[W130]に移される。一方、接続先が特定のプロジェクタ１００でないと判断された場合、図４のシーケンスはエラー終了する。なお、図４のシーケンスがエラー終了した場合、エラーの発生がユーザに通知される。エラーの発生は、例えば、無線ＵＳＢアダプタ２００ａが有する表示ランプ（図示しない）の点滅状態によってユーザに通知される。
【００４０】
ステップ[W130]において、無線ＵＳＢアダプタ２００ａは、プロジェクタ１００に電流リミッタ１５４の設定値の変更を要求する。具体的には、無線ＵＳＢアダプタ２００ａは、電流リミッタ１５４の設定値の変更を指示する所定のデータをホスト制御部２１６からデバイス制御部１４０に送信する。ステップ[W130]で要求を受け取ったプロジェクタ１００は、ステップ[P130]において、無線ＵＳＢアダプタ２００ａに供給する電流値を増加させるため、電流リミッタ１５４の供給電流上限値を変更する。このように、電流リミッタ１５４の設定値を変更することにより、プロジェクタ１００は、無線ＵＳＢアダプタ２００ａに標準的な上限電流値よりも大きい電流を供給することが可能となる。このようにプロジェクタ１００は、無線ＵＳＢアダプタ２００ａから供給される情報に基づいて、上限電流値を高くするか否かを決定する「上限値上昇決定部」の機能を有している。
【００４１】
プロジェクタ１００は、ステップ[P130]における電流リミッタ１５４の設定値の変更の後、ステップ[P132]において、電流リミッタの設定値を変更したことを無線ＵＳＢアダプタ２００ａに通知する。具体的には、プロジェクタ１００のデバイス制御部１４０は、無線ＵＳＢアダプタ２００ａのホスト制御部２１６に、電流リミッタ１５４の設定値の変更を通知するための所定のデータを送信する。このように、第２実施例では、プロジェクタ１００のデバイス制御部１４０は、電流リミッタ１５４の設定値の変更を通知する「上限値変更通知部」の機能を有している。
【００４２】
ステップ[P132]において設定値の変更が通知されると、ステップ[W140]において、無線ＵＳＢアダプタ２００ａは、無線送受信部２１２とデバイスワイヤアダプタ２１４とを起動する。無線送受信部２１２とデバイスワイヤアダプタ２１４とが起動されることにより、パーソナルコンピュータ３００（図１）と、無線ＵＳＢアダプタ２００ａと、の間でデータ転送のための無線通信が開始される。なお、第２実施例では、ステップ[W140]において無線送受信部２１２とデバイスワイヤアダプタ２１４とを起動しているが、一般に、ステップ[W140]においては、データ転送のための無線通信が開始されればよい。例えば、ステップ[W140]の実行前には無線送受信部２１２とデバイスワイヤアダプタ２１４への電力の供給を行わず、ステップ[W140]において無線送受信部２１２とデバイスワイヤアダプタ２１４への電力供給を開始するものとしてもよい。また、ステップ[W140]における起動や電力供給の開始を、無線送受信部２１２のみに対して行うものとしてもよい。この場合、デバイスワイヤアダプタ２１４は、ステップ[W140]以前に予め起動される。
【００４３】
ステップ[W150]において、無線ＵＳＢアダプタ２００ａは、デバイス制御部１４０の接続先をホスト制御部２１６からデバイスワイヤアダプタ２１４に切り替える。デバイス制御部１４０の接続先をデバイスワイヤアダプタ２１４に切り替えることにより、パーソナルコンピュータ３００のホスト制御部３２２と、プロジェクタ１００のデバイス制御部１４０とは、無線送受信部３２４，２１２を介して互いに接続される。そして、プロジェクタ１００とパーソナルコンピュータ３００との間の無線ＵＳＢ接続は、無線ＵＳＢアダプタ２００ａを介して、パーソナルコンピュータ３００のホスト制御部３２２がプロジェクタ１００のデバイス制御部１４０をリセットすることにより確立される。
【００４４】
なお、ステップ[W150]におけるデバイス制御部１４０の接続先の切り替えの際、電流リミッタ１５４の上限電流値は、ステップ[P130]において変更された値に維持される。上限電流値は、例えば、Ｂコネクタ１４２にバス電圧ＶBUSが供給されている間維持されるものとするのが好ましい。このようにすれば、ステップ[W150]におけるデバイス制御部１４０の接続先の切り替えの際、Ｂプラグ２３０からＢコネクタ１４２へのバス電圧ＶBUSの供給を維持することにより、上限電流値の設定値は維持される。そして、無線ＵＳＢアダプタ２００ａの２つのプラグ２３０，２４０のいずれか一方がプロジェクタ１００から取り外された際、電流リミッタ１５４の上限電流値は標準的な上限電流値に戻される。そのため、無線ＵＳＢアダプタ２００ａを他の装置に付け替えた場合に、上限電流値が標準的な設定値と異なるために生ずる問題の発生を抑制することができる。
【００４５】
このように、第２実施例では、無線ＵＳＢアダプタ２００ａが接続先のデバイスが特定のプロジェクタ１００であるか否かを判断する。そして、接続先のデバイスが特定のプロジェクタ１００であった場合には、Ａコネクタ１５２から供給される電流を制限する電流リミッタ１５４の設定値を変更する。そのため、無線ＵＳＢアダプタ２００ａが有する無線送受信部２１２等の消費電力が多く、標準的な上限電流値では無線送受信部２１２等への電力供給量が不足する場合であっても、Ａコネクタ１５２から十分な電力供給を受けることが可能となる。
【００４６】
Ｃ．第３実施例：
図５は、第３実施例における無線ＵＳＢアダプタ２００ｂと、プロジェクタ１００と、の接続状態を示す説明図である。第３実施例は、無線アダプタ制御部２１０ｂがデバイス制御部２１８を有している点で、第１実施例と異なっている。他の点は、第１実施例と同じである。
【００４７】
無線ＵＳＢアダプタ２００ｂでは、デバイス制御部２１８の信号線Ｄ＋，Ｄ−がＡプラグ２４０に接続されている。これにより、デバイス制御部２１８の信号線Ｄ＋，Ｄ−が、Ａプラグ２４０とＡコネクタ１５２とを介してプロジェクタ１００のホスト制御部１５０に接続される。無線ＵＳＢアダプタ２００ｂのデバイス制御部と、プロジェクタ１００のホスト制御部１５０とが接続されることにより、無線ＵＳＢアダプタ２００ｂのデバイス制御部２１８は、プロジェクタ１００のホスト制御部１５０の制御の下で、プロジェクタ１００との間でデータの授受を行う。
【００４８】
図６は、第３実施例において、プロジェクタ１００とパーソナルコンピュータ３００（図１）との無線ＵＳＢ接続が確立するまでの処理の流れを示すシーケンス図である。図６に示すシーケンスは、図４に示す第２実施例のシーケンスと同様に、プロジェクタ１００から無線ＵＳＢアダプタ２００ｂに電力が供給されることにより実行が開始される。なお、図６のシーケンスの開始時点においても、無線アダプタ制御部２１０ｂの無線送受信部２１２とデバイスワイヤアダプタ２１４とは、その動作が停止されている。
【００４９】
ステップ[P200]において、プロジェクタ１００は、ホスト制御部１５０をＡコネクタ１５２とＡプラグ２４０とを介して接続された無線ＵＳＢアダプタ２００ｂのデバイス制御部２１８に接続する。具体的には、ホスト制御部１５０は、信号線Ｄ＋，Ｄ−の電圧を制御することにより、デバイス制御部２１８をリセットし、ホスト制御部１５０とデバイス制御部２１８との間のデータ通信を開始する。
【００５０】
ステップ[P210]において、プロジェクタ１００は、無線ＵＳＢアダプタ２００ｂにデバイス情報の送信を要求する。具体的には、ホスト制御部１５０がデバイス制御部２１８にデバイスディスクリプタの送信を要求する。デバイスディスクリプタの送信が要求されたデバイス制御部２１８は、ステップ[W210]において、デバイス情報をホスト制御部１５０に送信する。
【００５１】
ステップ[P220]において、プロジェクタ１００は、ステップ[W210]において受信したデバイス情報を解析する。そして、プロジェクタ１００が接続された装置が、無線ＵＳＢアダプタ２００ｂであるか否かを判断する。接続先が無線ＵＳＢアダプタ２００ｂであると判断された場合、制御はステップ[P230]に移される。一方、接続先が無線ＵＳＢアダプタ２００ｂでないと判断された場合、図６のシーケンスは終了し、デバイス情報に対応づけられた処理が実行される。
【００５２】
ステップ[P230]において、プロジェクタ１００は、無線ＵＳＢアダプタ２００ｂに供給する電流値を増加させるため、電流リミッタ１５４の供給電流上限値を変更する。電流リミッタ１５４の設定値を変更することにより、プロジェクタ１００は、無線ＵＳＢアダプタ２００ｂに標準的な上限電流値よりも大きい電流を供給することが可能となる。
【００５３】
プロジェクタ１００は、ステップ[P230]における電流リミッタ１５４の設定値の変更の後、ステップ[P232]において、無線ＵＳＢアダプタ２００ｂに電流リミッタ１５４の設定値の変更を通知する。具体的には、プロジェクタ１００のホスト制御部１５０は、無線ＵＳＢアダプタ２００ｂのデバイス制御部２１８に、電流リミッタ１５４の設定値の変更を通知するための所定のデータを送信する。このように、第３実施例では、プロジェクタ１００のホスト制御部１５０は、電流リミッタ１５４の設定値の変更を通知する「上限値変更通知部」の機能を有している。
【００５４】
ステップ[P232]において電流リミッタ１５４の設定値の変更が通知されると、ステップ[W240]において、無線ＵＳＢアダプタ２００ｂは、無線送受信部２１２とデバイスワイヤアダプタ２１４とを起動する。無線送受信部２１２とデバイスワイヤアダプタ２１４とが起動されることにより、パーソナルコンピュータ３００（図１）と、無線ＵＳＢアダプタ２００ｂと、の間でデータ転送のための無線通信が開始される。
【００５５】
ステップ[W240]において、無線送受信部２１２とデバイスワイヤアダプタ２１４とが起動されると、パーソナルコンピュータ３００（図１）のホスト制御部３２２と、プロジェクタ１００のデバイス制御部１４０とは、無線送受信部３２４，２１２を介して互いに接続される。そして、プロジェクタ１００とパーソナルコンピュータ３００との間の無線ＵＳＢ接続は、無線ＵＳＢアダプタ２００ｂを介して、パーソナルコンピュータ３００のホスト制御部３２２がプロジェクタ１００のデバイス制御部１４０をリセットすることにより確立される。
【００５６】
なお、第３実施例では、Ａプラグ２４０がＡコネクタ１５２に接続されている間、ステップ[P230]において変更された電流リミッタ１５４の上限電流値は維持される。Ａプラグ２４０がＡコネクタ１５２に接続されていることは、Ａコネクタ１５２の信号線Ｄ＋，Ｄ−間の電圧をモニタすることにより確認することができる。このようにしても、無線ＵＳＢアダプタ２００ｂがプロジェクタ１００から取り外された際、電流リミッタ１５４の上限電流値は標準的な上限電流値に戻される。そのため、無線ＵＳＢアダプタ２００ｂを他の装置に付け替えた場合に、上限電流値が標準的な設定値と異なるために生ずる問題の発生を抑制することができる。なお、上限電流値の維持は、第２実施例と同様に、Ｂコネクタ１４２にバス電圧ＶBUSが供給されている間維持されるものとしてもよい。
【００５７】
このように、第３実施例では、プロジェクタ１００が接続先のデバイスが無線ＵＳＢアダプタ２００ｂであるか否かを判断する。そして、接続先のデバイスが無線ＵＳＢアダプタ２００ｂであった場合には、Ａコネクタ１５２から供給される電流を制限する電流リミッタ１５４の設定値を変更する。そのため、無線ＵＳＢアダプタ２００ｂは、その無線送受信部２１２等の消費電力が多く、標準的な上限電流値では無線送受信部２１２等への電力供給量が不足する場合であっても、プロジェクタ１００から十分な電力供給を受けることが可能となる。
【００５８】
通常、パーソナルコンピュータ３００（図１）の無線送受信部３２４と、無線ＵＳＢアダプタ２００ｂの無線送受信部２１２との間では、無線通信の機密性確保のための認証が行われる。第３実施例では、無線ＵＳＢアダプタ２００ｂのＡプラグ２４０にデバイス制御部２１８が接続されているため、Ａプラグ２４０をパーソナルコンピュータ３００のＡコネクタ（図示しない）に接続することで、より容易に無線送受信部３２４，２１２の間の認証をより容易に行うことができる。認証は、例えば、無線ＵＳＢアダプタ２００ｂのＡプラグ２４０をパーソナルコンピュータ３００のＡコネクタに接続し、所定の操作（例えば、無線ＵＳＢアダプタ２００ｂの図示しないボタンの押下）を行うことにより実行される。この場合、パーソナルコンピュータ３００のホスト制御部３２２と、無線ＵＳＢアダプタ２００ｂのデバイス制御部２１８との間では、認証のための所定のデータの授受が行われ、無線送受信部２１２，３２４間の認証が行われる。このように、第３実施例では、無線ＵＳＢアダプタ２００ｂにＡプラグ２４０を設けることにより、Ｂコネクタを有さないパーソナルコンピュータとの間での無線通信のための認証をより容易に行うことができる。
【００５９】
Ｄ．変形例：
なお、この発明は上記実施例や実施形態に限られるものではなく、その要旨を逸脱しない範囲において種々の態様において実施することが可能であり、例えば次のような変形も可能である。
【００６０】
Ｄ１．変形例１：
上記第２および第３実施例では、プロジェクタ１００は、無線ＵＳＢアダプタ２００ａ，２００ｂに所定のデータを送信することにより、電流リミッタ１５４の設定値の変更を無線ＵＳＢアダプタ２００ａ，２００ｂに通知しているが、他の方法により設定値の変更を無線ＵＳＢアダプタ２００ａ，２００ｂに通知することも可能である。例えば、電流リミッタ１５４の設定値の変更に応じて、バス電圧ＶBUSを変更することにより電流リミッタ１５４の設定値の変更を無線ＵＳＢアダプタ２００ａ，２００ｂに通知するものとしてもよい。
【００６１】
Ｄ２．変形例２：
上記各実施例では、無線ＵＳＢアダプタ２００，２００ａ，２００ｂをプロジェクタ１００に接続しているが、無線ＵＳＢアダプタ２００，２００ａ，２００ｂは、Ａコネクタ１５２とＢコネクタ１４２とを備え、Ａコネクタ１５２を介して供給される画像データと、Ｂコネクタ１４２を介して供給される画像データと、を排他的に使用する画像表示装置であれば、任意の画像表示装置に接続することが可能である。
【００６２】
Ｄ３．変形例３：
上記各実施例では、プロジェクタ１００は、Ａコネクタ１５２を介して供給される画像データと、Ｂコネクタ１４２を介して供給される画像データと、を排他的に使用しているが、これらの画像データを必ずしも排他的に利用する必要はない。プロジェクタ１００は、Ａコネクタ１５２とＢコネクタ１４２とからそれぞれ供給される画像データの少なくとも一方を利用するものとしてもよい。
【００６３】
Ｄ４．変形例４：
上記第２および第３実施例では、本発明を、プロジェクタ１００への画像データの供給に使用しているが、本発明は、Ａコネクタ１５２に接続された装置への供給電流の上限値が変更可能な装置であれば、任意の装置に適用することができる。このようにしても、無線ＵＳＢアダプタ２００ａ，２００ｂは、無線通信のため電力が十分に供給される状態で無線通信を行うことができるので、無線通信によるデータの転送をより安定的に行うことができる
【００６４】
Ｄ５．変形例５：
上記各実施例では、プロジェクタ１００に画像データを供給するデータ通信リンクとしてＵＳＢを使用しているが、画像データの供給が可能で、無線化が可能なデータ通信リンクであれば任意のデータ通信リンクを用いることができる。データ通信リンクとしては、例えば、ＩＥＥＥ１３９４規格に従ったデータ通信リンクを用いることも可能である。
【図面の簡単な説明】
【００６５】
【図１】本発明の第１実施例を適用する画像投射システムの概略構成を示す概略構成図。
【図２】第１実施例における無線ＵＳＢアダプタ２００と、プロジェクタ１００と、の接続状態を示す説明図。
【図３】第２実施例における無線ＵＳＢアダプタ２００ａと、プロジェクタ１００と、の接続状態を示す説明図。
【図４】第２実施例において、無線ＵＳＢ接続が確立するまでの処理の流れを示すシーケンス図。
【図５】第３実施例における無線ＵＳＢアダプタ２００ｂと、プロジェクタ１００と、の接続状態を示す説明図。
【図６】第３実施例において、無線ＵＳＢ接続が確立するまでの処理の流れを示すシーケンス図。
【符号の説明】
【００６６】
１０…画像投射システム
１００…プロジェクタ
１１０…プロジェクタ制御部
１１２…投射画像選択部
１１４…画像受信部
１１６…画像取得部
１２０…画像投射部
１３０…ＲＧＢ信号入力部
１３２…ＲＧＢ入力端子
１４０…デバイス制御部
１４２…コネクタ
１５０…ホスト制御部
１５２…コネクタ
１５４…電流リミッタ
２００，２００ａ，２００ｂ…無線ＵＳＢアダプタ
２１０，２１０ａ，２１０ｂ…無線アダプタ制御部
２１２…無線送受信部
２１４…デバイスワイヤアダプタ
２１６…ホスト制御部
２１８…デバイス制御部
２２０…電源回路
２３０，２４０…プラグ
３００…パーソナルコンピュータ
３１０…画像データ生成部
３２０…無線ＵＳＢホスト
３２２…ホスト制御部
３２４…無線送受信部
【図１】
2008192018.tif 000003
【図２】
2008192018.tif 000004
【図３】
2008192018.tif 000005
【図４】
2008192018.tif 000006
【図５】
2008192018.tif 000007
【図６】
2008192018.tif 000008